(57)【要約】【課題】液晶パネルの電極とＣＯＦ電極との重ね合わせが容易な液晶表示装置を提供する。【解決手段】液晶表示装置１００において、一列に配列された複数の電極１１から成る電極部１０を備える液晶パネル１と、一列に配列され、電極１１と幅の異なる複数のＣＯＦ電極２１から成るＣＯＦ電極部２０を備えるＣＯＦ基板２と、を備え、ＣＯＦ電極部２０における少なくとも一のＣＯＦ電極２１ｂは、電極１１とＣＯＦ電極２１との重ね合わせを行う場合の位置合わせ用電極であって他のＣＯＦ電極２１ａと形状が異なり、位置合わせ用電極２１ｂの幅方向の一端部２１１と電極部１０における一の電極１１の幅方向の一端部１１１とを一致させた場合に、他のＣＯＦ電極２１の幅方向中央と電極１１の幅方向中央とがほぼ重なるように、位置合わせ用電極２１ｂの幅及びＣＯＦ電極２１同士の間隔を設定する。【選択図】図４
2009271383.tif 000002
【特許請求の範囲】
【請求項１】
一列に配列された複数の電極から成る電極部を備える液晶パネルと、
一列に配列され、前記電極と幅の異なる複数のＣＯＦ電極から成るＣＯＦ電極部を備えるＣＯＦ基板と、
を備え、
前記ＣＯＦ電極部における少なくとも一のＣＯＦ電極は、前記電極と前記ＣＯＦ電極との重ね合わせを行う場合の位置合わせ用電極であって、他のＣＯＦ電極と形状が異なっており、
前記位置合わせ用電極の幅方向の少なくとも一端部と前記電極部における一の電極の幅方向の少なくとも一端部とを一致させた場合に、他のＣＯＦ電極の幅方向中央と前記電極の幅方向中央とがほぼ重なるように、前記位置合わせ用電極の幅及び前記ＣＯＦ電極同士の間隔が設定されていることを特徴とする液晶表示装置。
【請求項２】
前記位置合わせ用電極は、前記ＣＯＦ電極部における一端のＣＯＦ電極であることを特徴とする請求項１に記載の液晶表示装置。
【請求項３】
前記位置合わせ用電極は、前記ＣＯＦ電極部における両端のＣＯＦ電極であることを特徴とする請求項１に記載の液晶表示装置。
【請求項４】
前記位置合わせ用電極は、ダミー電極であることを特徴とする請求項１〜３の何れか一項に記載の液晶表示装置。
【請求項５】
一列に配列された複数の電極から成る電極部を備える液晶パネルと、
一列に配列され、前記電極と幅の異なる複数のＣＯＦ電極から成るＣＯＦ電極部を備えるＣＯＦ基板と、
を備え、
前記ＣＯＦ電極部における両端のＣＯＦ電極は、前記電極と前記ＣＯＦ電極との重ね合わせを行う場合の位置合わせ用電極であって、他のＣＯＦ電極と形状が異なっており、
前記位置合わせ用電極の幅方向の少なくとも一端部と前記電極部における一の電極の幅方向の少なくとも一端部とを一致させた場合に、他のＣＯＦ電極の幅方向中央と前記電極の幅方向中央とがほぼ重なるように、前記位置合わせ用電極の幅及び前記ＣＯＦ電極同士の間隔が設定されており、
前記位置合わせ用電極は、ダミー電極であることを特徴とする液晶表示装置。
【請求項６】
請求項２に記載の液晶表示装置を製造するための製造方法において、
前記ＣＯＦ電極部の一端に位置する前記位置合わせ用電極の幅方向の一端部と、当該位置合わせよう電極に対応する前記電極部における一の電極の幅方向の一端部とを一致させて、位置合わせを行う工程を備えることを特徴とする液晶表示装置の製造方法。
【発明の詳細な説明】
【技術分野】
【０００１】
本発明は、液晶表示装置及び液晶表示装置の製造方法に関する。
【背景技術】
【０００２】
ＣＯＦ(Chip On Film)は、液晶表示装置において、液晶パネルと、液晶パネルに駆動信号を供給するプリント基板（PCB: Printed Circuit Board）との接続に用いられる。
このＣＯＦ基板は、一定の間隔で一列に配列されたＣＯＦ電極を、液晶パネル上に同じく一列に配設された液晶セルの電極に重ね合わせた後に、異方導電性材料(ACF: Anisotropic Conductive Film)を介して電極同士を熱圧着する工程を経て実装される。
【０００３】
上記ＣＯＦの実装に関し、例えば、特許文献１には、各電極の面積が一定でないことに起因してＣＯＦの各電極と配線パターンとの間で接触不良が発生するという問題に対応して、電極の面積に応じて配線パターンを形成することで、半導体チップの電極と配線パターンとの接触面積を等しくなるようにした液晶表示素子が提案されている。
また、その他、特許文献２や特許文献３には、圧着時の熱膨張により発生する端子の位置ずれを防止するための技術が提案されている。
【特許文献１】特開２０００−１１１９３９号公報
【特許文献２】特開２００１−２５５５５０号公報
【特許文献３】特開２０００−３１２０７０号公報
【発明の開示】
【発明が解決しようとする課題】
【０００４】
ところで、液晶パネル上の電極とＣＯＦ電極との重ね合わせに際して、液晶パネルの電極の電極幅ｂとＣＯＦ電極の電極幅ｄとが異なる場合、図６に示すように、両者の幅方向両端部が不一致となる。そのため、ＣＯＦ電極の幅方向中央と液晶パネル上の電極の幅方向中央とを正確に一致させるためには微調整が必要となり、時間を要していた。また、これらの電極は非常に微細であり、微調整に失敗して不良品が発生する可能性もある。しかしながら、これまで、液晶パネルの電極とＣＯＦ電極の位置合わせ自体を容易化するための技術は提案されてこなかった。
【０００５】
本発明の課題は、液晶パネルの電極とＣＯＦ電極との重ね合わせが容易な液晶表示装置及び液晶表示装置の製造方法を提供することである。
【課題を解決するための手段】
【０００６】
上記課題を解決するため、請求項１に記載の発明は、液晶表示装置において、一列に配列された複数の電極から成る電極部を備える液晶パネルと、
一列に配列され、前記電極と幅の異なる複数のＣＯＦ電極から成るＣＯＦ電極部を備えるＣＯＦ基板と、
を備え、
前記ＣＯＦ電極部における少なくとも一のＣＯＦ電極は、前記電極と前記ＣＯＦ電極との重ね合わせを行う場合の位置合わせ用電極であって、他のＣＯＦ電極と形状が異なっており、
前記位置合わせ用電極の幅方向の少なくとも一端部と前記電極部における一の電極の幅方向の少なくとも一端部とを一致させた場合に、他のＣＯＦ電極の幅方向中央と前記電極の幅方向中央とがほぼ重なるように、前記位置合わせ用電極の幅及び前記ＣＯＦ電極同士の間隔が設定されていることを特徴とする。
【０００７】
請求項２に記載の発明は、請求項１に記載の液晶表示装置において、前記位置合わせ用電極は、前記ＣＯＦ電極部における一端のＣＯＦ電極であることを特徴とする。
【０００８】
請求項３に記載の発明は、請求項１に記載の液晶表示装置において、前記位置合わせ用電極は、前記ＣＯＦ電極部における両端のＣＯＦ電極であることを特徴とする。
【０００９】
請求項４に記載の発明は、請求項１〜３の何れか一項に記載の液晶表示装置において、前記位置合わせ用電極は、ダミー電極であることを特徴とする。
【００１０】
請求項５に記載の発明は、液晶表示装置において、一列に配列された複数の電極から成る電極部を備える液晶パネルと、
一列に配列され、前記電極と幅の異なる複数のＣＯＦ電極から成るＣＯＦ電極部を備えるＣＯＦ基板と、
を備え、
前記ＣＯＦ電極部における両端のＣＯＦ電極は、前記電極と前記ＣＯＦ電極との重ね合わせを行う場合の位置合わせ用電極であって、他のＣＯＦ電極と形状が異なっており、
前記位置合わせ用電極の幅方向の少なくとも一端部と前記電極部における一の電極の幅方向の少なくとも一端部とを一致させた場合に、他のＣＯＦ電極の幅方向中央と前記電極の幅方向中央とがほぼ重なるように、前記位置合わせ用電極の幅及び前記ＣＯＦ電極同士の間隔が設定されており、
前記位置合わせ用電極は、ダミー電極であることを特徴とする。
【００１１】
請求項６に記載の発明は、請求項２に記載の液晶表示装置を製造するための製造方法において、
前記ＣＯＦ電極部の一端に位置する前記位置合わせ用電極の幅方向の一端部と、当該位置合わせよう電極に対応する前記電極部における一の電極の幅方向の一端部とを一致させて、位置合わせを行う工程を備えることを特徴とする。
【発明の効果】
【００１２】
本発明によれば、一列に配列された複数の電極から成る電極部を備える液晶パネルと、一列に配列され、電極と幅の異なる複数のＣＯＦ電極から成るＣＯＦ電極部を備えるＣＯＦ基板と、が備わり、ＣＯＦ電極部における少なくとも一のＣＯＦ電極は、電極とＣＯＦ電極との重ね合わせを行う場合の位置合わせ用電極であって、他のＣＯＦ電極と形状が異なっており、位置合わせ用電極の幅方向の少なくとも一端部と電極部における一の電極の幅方向の少なくとも一端部とを一致させた場合に、他のＣＯＦ電極の幅方向中央と前記電極の幅方向中央とがほぼ重なるように、位置合わせ用電極の幅及びＣＯＦ電極同士の間隔が設定されている。
したがって、液晶パネルの電極とＣＯＦ基板のＣＯＦ電極との重ね合わせにおいて、位置合わせ用電極であるＣＯＦ電極の少なくとも一端部を、電極部における対応する電極の一端部に一致させるだけで、他のＣＯＦ電極の幅方向中央と液晶パネルの電極の幅方向中央とがほぼ重なることとなるため、液晶パネルの電極とＣＯＦ電極との重ね合わせを容易に行うことができる。
【発明を実施するための最良の形態】
【００１３】
以下、本発明の実施の形態を、図面を参照しながら説明する。
図１は、本発明の実施形態の液晶表示装置の全体構成を示す平面図である。図２（ａ）は、液晶パネルの電極部とＣＯＦ基板のＣＯＦ電極部の詳細を示す平面図であり、図２（ｂ）は、図２（ａ）のＡ枠部分の拡大図である。図３は、ＣＯＦ基板と液晶パネルとの接着方法を説明する図であり、図４（ａ）は、液晶パネルの電極部とＣＯＦ基板のＣＯＦ電極部が重ね合わされた状態を示す平面図であり、図４（ｂ）は、図４（ａ）のＢ枠部分の拡大図である。なお、本発明の範囲は図示例に限定されない。
【００１４】
本実施形態の液晶表示装置１００は、図１に示すように、ガラス基板上に液晶セルや透明電極が形成された液晶パネル１と、液晶パネル１を駆動するゲートドライバ２３…またはソースドライバ２４…が形成されたＣＯＦ基板２…と、ゲートドライバ２３…やソースドライバ２４に電源電圧や各種信号を供給するための回路および配線が形成されたプリント基板（PCB: Printed Circuit Board）３、３等から構成される。
上記構成のうち、ＣＯＦ基板２と液晶パネル１、ならびに、ＣＯＦ基板２とプリント基板３とは、異方性導電接着フィルム(ACF: Anisotropic Conductive Film)４を挟んで、互いの電極同士を接着させることで、機械的且つ電気的に接続される。
【００１５】
液晶パネル１の縁近傍には、図２に示すように、縦長の微細な電極１１…が多数形成された電極部１０が複数設けられ、各電極１１は等間隔ａで一列に配列されている。一方、ＣＯＦ基板２の縁近傍にも、縦長の微細なＣＯＦ電極２１…が多数形成されたＣＯＦ電極部２０が設けられ、各ＣＯＦ電極２１は等間隔ｃで一列に配列されている。
これら液晶パネル１の電極１１とＣＯＦ基板２のＣＯＦ電極２１とは、ＣＯＦ基板２と液晶パネル１とが接続された状態において、１対１で互いに重ね合わせられるように配置されている。すなわち、液晶パネル１とＣＯＦ基板２とを接続する際には、図３に示すように、液晶パネル１の電極１１とＣＯＦ電極２１とを１対１で互いに向かい合わせにして重ね合わせ、且つ、その間に異方性導電接着フィルム４を挟み込ませた状態で押圧することにより、両者を圧着する作業を行う。
【００１６】
液晶パネル１の電極１１の幅方向の長さ（以下、幅方向の長さを「電極幅」という）とＣＯＦ電極２１の電極幅とは異なっており、本実施形態では、ＣＯＦ電極２１の電極幅ｄが電極１１の電極幅ｂよりも短く形成されている。
また、ＣＯＦ基板２に形成されたＣＯＦ電極２１のうち、両端に配置された２つのＣＯＦ電極２１ｂの電極幅ｄ´は、ＣＯＦ電極部２０の中央側に配置されたＣＯＦ電極（他のＣＯＦ電極）２１ａの電極幅ｄに比べて、ｄ´−ｄ（（ｂ−ｄ）／２）だけ長く形成されている。ＣＯＦ電極部２０の両端に位置するこれら２つのＣＯＦ電極２１は、液晶パネル１の電極１１とＣＯＦ電極２１との重ね合わせを行う場合の位置合わせの指標となる位置合わせ用電極である。また、これらの位置合わせ用電極２１ｂはダミー電極であり、その用途が位置合わせに限定されている。
【００１７】
上述した位置合わせ用電極２１ｂの幅ｄ´、他のＣＯＦ電極２１の幅ｄ、ＣＯＦ電極２１（２１ａ、２１ｂ）同士の間隔ｃのそれぞれは、液晶パネル１の電極１１の電極幅ｂ及びこれら電極１１同士の間隔ａに対応して、位置合わせ用電極２１ｂの幅方向の一端部２１１と、電極部１０における一の電極１１の幅方向の一端部１１１とを一致させた場合に、液晶パネル１の電極１１の幅方向中央と、ＣＯＦ電極部２０の中央側に配置されたＣＯＦ電極２１ａ（ＣＯＦ電極部２０の両端に配置された位置合わせ用電極２１ｂ以外のＣＯＦ電極（他のＣＯＦ電極））の幅方向中央とが略一致した状態となるように設定されている。
【００１８】
すなわち、液晶パネル１の電極１１とＣＯＦ電極２１の重ね合わせに際して、ＣＯＦ電極部２０の両端に配置された位置合わせ用電極２１ｂの何れか一方の幅方向の一端部（例えば、外側方向の一端部２１１）と、電極部１０における対応する電極１１の幅方向の一端部（例えば、外側方向の一端部１１１）とを一致させるようにする。すると、図４に示すように、ＣＯＦ電極部２０の中央側に配置されたＣＯＦ電極２１ａの幅方向中央が、液晶パネル１の電極１１の幅方向中央にほぼ重なる状態となる。したがって、位置合わせ作業において、ＣＯＦ電極部２０の両側に配置されたＣＯＦ電極２１の幅方向外側の一端部２１１を、液晶パネル１の電極１１の幅方向外側の一端部１１１に一致するように配置すれば、液晶パネル１の電極１１とＣＯＦ電極２１（２１ａ、２１ｂ）とが１対１で正確に重ね合わされることとなる。
【００１９】
また、液晶パネル１の電極１１とＣＯＦ電極２１とを重ね合わせた状態で、もう一方の位置合わせ用電極２１ｂの幅方向の一端部（例えば、外側方向の一端部２１１）と、電極部１０における対応する電極１１の幅方向の一端部（例えば、外側方向の一端部１１１）とが一致しているか否かを確認することにより、液晶パネル１の電極１１とＣＯＦ電極２１との重ね合わせが正確に行われたことを確実に確認することができる。
【００２０】
以上説明した本実施形態の液晶表示装置１００によれば、一列に配列された複数の電極１１から成る電極部１０を備える液晶パネル１と、一列に配列され、電極１１と幅の異なる複数のＣＯＦ電極２１（２１ａ、２１ｂ）から成るＣＯＦ電極部２０を備えるＣＯＦ基板２と、が備わり、ＣＯＦ電極部２０におけるＣＯＦ電極２１ｂは、電極１１とＣＯＦ電極２１との重ね合わせを行う場合の位置合わせ用電極であって、他のＣＯＦ電極２１ａと形状が異なっている。そして、位置合わせ用電極２１ｂの幅方向の一端部２１１と電極部１０における一の電極１１の幅方向の一端部１１１とを一致させた場合に、他のＣＯＦ電極２１の幅方向中央と電極１１の幅方向中央とがほぼ重なるように、位置合わせ用電極２１ｂの幅及びＣＯＦ電極２１同士の間隔が設定されている。
したがって、液晶パネル１の電極１１とＣＯＦ基板２のＣＯＦ電極２１との重ね合わせにおいて、位置合わせ用電極であるＣＯＦ電極２１ｂの一端部２１１を、電極部１０における対応する電極１１の一端部１１１に一致させるだけで、他のＣＯＦ電極２１の幅方向中央と液晶パネル１の電極１１の幅方向中央とがほぼ重なるため、液晶パネル１の電極１１とＣＯＦ電極２１との重ね合わせを容易に行うことができる。
【００２１】
また、位置合わせ用電極が、ＣＯＦ電極部２０における一端のＣＯＦ電極２１ｂである場合、位置合わせ用電極が端に配置されているため、液晶パネル１の電極１１とＣＯＦ電極２１との重ね合わせが更に容易となる。
【００２２】
また、位置合わせ用電極が、ＣＯＦ電極部２０における両端のＣＯＦ電極２１ｂである場合、片方の位置合わせ用電極２１ｂに基づいて液晶パネル１の電極１１とＣＯＦ電極２１とを重ね合わせた状態で、もう一方の位置合わせ用電極２１ｂの一端部が電極部１０における対応する電極１１の一端部に一致しているか否かを確認することにより、液晶パネル１の電極１１とＣＯＦ電極２１との重ね合わせが正確に行われたか否かを確実に確認することができる。
【００２３】
また、位置合わせ用電極２１ｂはダミー電極であるため、液晶パネル１の電極１１とＣＯＦ電極２１との重ね合わせ工程によって位置合わせ用電極の寸法・特性が変化した場合であっても、液晶表示装置に悪影響が生じないこととなる。
【００２４】
なお、本発明の範囲は上記実施形態に限られることなく、本発明の趣旨を逸脱しない範囲において種々の改良並びに設計の変更を行っても良い。
【００２５】
例えば、上記実施形態では、ＣＯＦ電極２１の電極幅が液晶パネル１の電極１１の電極幅よりも短く形成された場合について説明したが、ＣＯＦ電極２１の電極幅が液晶パネル１の電極１１の電極幅よりも長く形成されていても良い。
また、上記実施形態では、位置合わせ用電極２１ｂの電極幅ｄ´を、液晶パネル１の電極１１の電極幅ｂよりも短く形成された構成としたが、位置合わせ用電極２１ｂの電極幅と、液晶パネル１の電極１１の電極幅とを同じ長さとして、液晶パネル１の電極１１とＣＯＦ電極２１との重ね合わせ工程において、位置合わせ用電極の幅方向の両端部と液晶パネル１における一の電極１１の幅方向の両端部とを一致させて位置合わせを行うこととしても良い。その場合、位置合わせ用電極２１ｂと隣り合うＣＯＦ電極２１との間隔だけが、他のＣＯＦ電極２１同士の間隔よりも短く設定されることとなる。
また、上記実施形態では、位置合わせ用電極２１ｂをダミー電極としたが、位置合わせ用電極２１ｂはダミーでなくとも良い。この場合、位置合わせのための新たな構成を設けることなく、本発明を構成することができる。
【００２６】
また、例えば、図５に示すように、２つのＣＯＦ電極を接続するとともに、その間に、液晶パネル１の電極１１同士の幅と同一幅のスリットを入れたものを、位置合わせ用電極としても良い。そして、液晶パネル１の電極１１とＣＯＦ電極との重ね合わせ工程において、位置合わせ用電極のスリットが液晶パネル１の電極１１同士の間にくるように位置合わせを行うと、他のＣＯＦ電極の幅方向中央と電極１１の幅方向中央とがほぼ重なり、重ね合わせが正確に行われることとなる。
【図面の簡単な説明】
【００２７】
【図１】本実施形態の液晶表示装置の全体構成を示す平面図である。
【図２】図２（ａ）は、液晶パネルの電極部とＣＯＦ基板のＣＯＦ電極部の詳細を示す平面図であり、図２（ｂ）は、図２（ａ）のＡ枠部分の拡大図である。
【図３】ＣＯＦ基板と液晶パネルとの接着方法を説明する図である。
【図４】図４（ａ）は、液晶パネルの電極部とＣＯＦ基板のＣＯＦ電極部が重ね合わされた状態を示す平面図であり、図４（ｂ）は、図４（ａ）のＢ枠部分の拡大図である。
【図５】ＣＯＦ電極部の変形例を示す図である。
【図６】従来の液晶表示装置における液晶パネルの電極とＣＯＦ電極との重ね合わせを説明する図である。
【符号の説明】
【００２８】
１００      液晶表示装置
１          液晶パネル
１０        電極部
１１        電極
１１１      一端部
２          ＣＯＦ基板
２０        ＣＯＦ電極部
２１        ＣＯＦ電極
２１ａ      他のＣＯＦ電極
２１ｂ      位置合わせ用電極
４          異方性導電接着フィルム
【図１】
2009271383.tif 000003
【図２】
2009271383.tif 000004
【図３】
2009271383.tif 000005
【図４】
2009271383.tif 000006
【図５】
2009271383.tif 000007
【図６】
2009271383.tif 000008